(57)【要約】      （修正有）【課題】床下を乾燥させ、きれいな空気だけを活用、不健康な空気を屋外に出し、健康、経済的な住宅を提供する。【解決手段】新鮮な外気を１２乾燥室の３１外気入気口から入る。空気は２３床下へと３２床気取入口から３７空気パイプ出口へと出て行く。３３床下上室へ来た空気は、３３床下上室を一巡して３８冷気パイプ入口へと、そして３６冷気パイプ出口と出ていく。２３床下には、３３床下上室と３４床下下室に３９床下分離板で分けられる。排気装置を設置してある風呂場から、室内を循環して来て屋外へ出て行く空気を、もう一度３４床下下室へ導き、３４床下下室の塵や埃など重い沈殿した空気を捨てる。【選択図】  図２
2006214255.tif 000002
【特許請求の範囲】
【請求項１】
木造住宅の室内と床下への空気循環に於いて、まず室内の回りに、密閉した乾燥室を作る。乾燥室へ地面から高い所の屋外の空気を入れて、乾燥室内を乾燥させる。乾燥させた空気は、設置パイプを経由して床下へ行く。
床下では、上と下に分離分けられ、下は沈殿した空気や塵を、さらに沈殿を導く空間がある。乾燥室からのパイプは、床下の上の空間に入り、空気は床下の上に出る。床下の上の空間から、別のパイプを経由して室内の上部に戻り出る。これら空気が動くのは、住宅全体の換気循環で、最終出口に排気装置を付けて、室内へと次々に循環して屋外に出る。
尚、乾燥室を省いて、室内に屋外からの空気を入れて直接床下に、空気を送って室内に戻す場合は、床下へのパイプの入り口か出口に、床下に回るだけの専用ポンプをつけても可能である。
床下の下の方の空間の沈澱した空気や塵や埃を、基礎コンクリート底部よりさらに下へ導く窪みか空間を作る。室内で換気循環して、屋外へ捨てる空気を利用して、排気装置を設置してある部屋で、捨てる空気を床下の下へと導き切り替えて送り、沈澱した空気や塵を、沈澱した空気などを下へ導く窪みか空間からパイプで吸い出し屋外へ捨てる。
【発明の詳細な説明】
【特許の詳細な説明】
【産業上の利用分野】
【０００１】  住宅の冷暖房はエアコンが主体であるが、本発明は、床下の基礎コンクリートが、木材にはない蓄熱作用があるので、住宅換気で冷暖房に使えばエネルギーの節約になる。
乾いた空気を床下に送るので、木造住宅の最も劣化する床下が乾いて、住宅の耐用寿命を伸ばせる。
床下が乾くのでカビが発生しない、カビが無いとダニや埃も少なくなり床下の空気がきれいになり、室内もきれいになる。
又床下を暖房に使えば、床上設置の床暖房よりも肌会いも良く、設置費、保守費用も少ないので使用願望はあります。
難点は、床下の空気を室内へ取り入れると、床下に沈殿した塵や埃など汚れた空気を室内に舞い戻してしまう。今まで床下は収納に利用するのが主な所でしたが、さらに現在の床下の空気は、以前と比較にならない程、各種の材料が使われている為に、床下には危険成分が沈澱滞留し、また床下が腐朽するので防腐も、防蟻消毒もされ、これらをしても健康には安全で弊害が無い事になっていますが、長期に亙っての調査研究複合になっての汚染の相乗弊害研究は、ほとんど研究されていないの実情であり、目をつぶって使っていたのです。不健康な空気を屋外に出して、冬や夏を健康、経済的な住宅になるのを利用目的とする。
【背景技術】
【０００２】  住宅の床下は、基礎コンクリートで囲められてる為に外気の流通が悪くなり、基礎コンクリートに小さな換気口を付けて外気を流すか、木造住宅土台と基礎コンクリートとの間にパッキンを間隔をおいて挟み、隙間から外気を入れての換気が主体であった。しかし実際は外気が床下に入れば、出口と入口が小さく中でよどんで流れにくく、外気が入っても夏などは、外気より床下の気温は低くいので、湿度は逆に高くなって結露し土台や柱は腐朽していた。
床下に換気扇を回して床下を乾かす方法もあるが、床下は中にも基礎コンクリートが土手の様に立ちはだかり、部分的にしか風は通らず、夏の高湿改善は出来なかった。
この事を改善する為に、床下を密閉して、夏にだけ基礎コンクリートの小さな換気口を開いて、さらに床下の冷気を床上に流す方法もあるが、夏は乾燥した日は少なく、夏の外気が床下に入れば高湿になり、従来と同じ結果であった。
床下と屋根裏の温度差で壁の中の湿気を外へ連れ出す方法もあるが、夏の床下へは新たに絶対湿度の高い空気が入り、床下に結露をもたらして以前と変わりなかった。
床下に暖かい乾燥した空気を入れても、埃を舞上げて室内では清浄な空気とは言えなかった。
床下空間を無くして、直接地面から暖房をする方法は、冬は良いが、暖かい時期は、完全密閉で床下に空気が流れないが、直接の温度差で水蒸気は圧力があり床下の材料に潜行結露腐朽させる。床下空間が無く除湿は出来ず、もしもの場合点検不能であり、防蟻不能でもあった。
床下全体だけを外気を入れずに防湿気密にして、床下だけを除湿する方法があり、これは除湿はできるが、床下基礎コンクリート特性の蓄熱や室内の冷やしに、床下貯蔵などには利用しにくくかった。
床下に直接外気を入れて、室内空気へ戻し出す方法もあったが、床下は掃除が行いにくいので、室内に戻ってくる空気は汚れていた。
床暖房でも、実際には床の直ぐ上に付設したのが多く、これは肌合いが熱目になり、設置費用、維持費用も高かった。
熱交換型換気で捨てる排気熱を利用する方法があるが、器具の掃除が面倒で、空気は蓄熱性が低くく、経費がかさみ問題が多かった。
完全な床下に設置した、木造住宅の中で最も蓄熱する基礎コンクリートは、床下暖房にすると、床下除湿や暖房は効果上がりが良いが、暖房がすぐには効果が上がらなかった為に終日暖房して熱損失が高かった。
床下に外気を入れる場合、地面に近い埃など多い外気を入れて室内へ回すと汚す素を入れていた。
【発明が解決しようとする課題】
【０００３】  木造住宅にはない床下基礎コンクリート特性の蓄熱を利用に伴って、汚れやすい床下の空気を、室内に舞い出さない事が課題である。
床下へは、きれいな空気を入れ、床下で空気を汚さない事が課題である。
床下へは、湿度の高い空気を入れない事が課題である。
たとえ床下が湿度が高くなっても除湿が出来る事が課題である。
室内温度が上がれば、床下の冷熱を室内へ出して利用する事が課題である。
床下に設置する物が簡単に取り付けする事が課題である。
冬の日中の暖かさを蓄熱して暖房費を節約する事が課題である。
床下に入ってしまった汚れた空気は出し易くする事が課題である。
床下のコンクリートと筒状袋の中との熱の流通を良くする事が課題である。
床下へ入る空気は地面より離れた埃の少ない空気を入れる事が課題である。
床下の蓄熱や冷熱をさらに向上させる事が課題である。
【課題を解決するための手段】
【０００４】  本発明は、上記目的を達成するために、以下の様に構成したものである。
季節毎や日差で変化する外気と室内との差を、エアコンや暖房機利用するも極力抑えて、基礎コンクリートの特性を十分に利用し、床下の湿度を上げない為に乾燥した空気を、住宅換気にコースを変化させて対応する。
基礎コンクリートの特性を十分に利用しながらも、空気を床下と室内を循環させると、床下に沈殿した塵や埃など汚れた空気を室内に舞い戻してしまうので、床下でもきれいな上部の空気を利用して、床下を上下に分離する。
床下へ循環させる空気は、床下へ入れる前に汚れを取る。
床下へ入ってしまって沈澱滞留した空気はそのままにせず、屋外に出して床下の絶対的な汚染空気を減らす様にする。
床下の土台は基礎で固定され、風や地震で一番力がかかる、さらに湿気で劣化を加速させる、常に床下は最優先で一定以下の湿度にする。
乾燥した空気を床下に運ぶのに、直接地面に近い部分から外気を入れると、より床下は汚れるので、外気は高い所から入れる。
床下に蓄熱や冷熱をする物を設置して、さらに向上させる
【作用】
【０００５】  １日の温度差は、１０度前後もある日が多い。床下に付けた暖房を就寝中は切ると、朝は生活排熱もあるが、住宅の一番断熱性が低い所の基準と換気の分だけ室内温度は下がる。朝は起床時に、活動の為に再度暖房を入れて、活動終了後切るが、１日の温度差に伴って日中の室内は屋外並にぐっと上がるが、床下はそれほど上がっていない。床下に室内の暖気を循環させると床下もぐっと上がってくる。日中に暖房を切っても夕方の室内の肌合いの立ち上がりが早い。結果日中は暖房を切れる。
よく出来た断熱と気密の夏の室内は、換気して暑い外気が入った分と生活排気熱だけを、エアコンなどで気温を下げて生活していたが、床下に空気を送れば基礎コンクリートが熱の吸収が大きいので室内へ下げた空気が循環してくる。
【実施例】
【０００６】  図１は、従来方法からの説明で、高気密で高断熱された住宅の、冷暖房をして換気する場合の概略断面図である。９居間などに一か所か、外の別の所の二か所からの３１外気入気口から新鮮な空気が取り入れられ、夏の冷房は２０エアコンを主体で、冬は暖房機からの放熱もあり、９居間などで温度や湿度を調整して、１１隣室へと空気を取り替えていく。空気は一階だけでなく壁の中の４２換気パイプなどを通過して２階の各部屋を通過して、５１排気装置を設置してある１０風呂場などへ来て屋外に出る。
以下、本発明の実施例を図面によって説明する。
図２は、１２乾燥室へ取り入れた空気を、３３床下上室へ回り循環して９居間に戻る場合の、９居間の部分断面図。換気は住宅全体を断熱、気密にして、最終出口に排気装置を設置稼働させて、住宅全体を新鮮空気を室内ごとに取り入れ次々と循環するのである。最初に新鮮な外気を１２乾燥室の３１外気入気口から入る。夏は、１２乾燥室に入った空気は２０エアコンか、除湿機で除湿される。冬は、１２乾燥室からそのまま２３床下へ空気が入り、５暖房機で放熱された空気が循環する。空気は２３床下へと３２床気取入口から３７空気パイプ出口へと出て行く。３３床下上室へ来た空気は、３３床下上室を一巡して３８冷気パイプ入口へと、そして３６冷気パイプ出口と出ていく。これら空気は９居間から、１１隣室へと３５換気隣室パイプを通過して引き出される換気循環で動く。３３床下上室を循環させる空気は１２乾燥室の３２床気取入口と９居間の３６冷気パイプ出口にそれぞれ塵や埃などを取る物を付ける。２３床下には、３３床下上室と３４床下下室に３９床下分離板で分けられていて、さらに３４床下下室は４０沈澱室が繋がり出来ている。１２乾燥室からの空気は３３床下上室を循環する。３９床下分離板は、金属などの熱の伝わりの良い物に、床下に物入れや点検などの部分は合板で透湿性にして、ほとんど人が入らない部分はポリマーを入れた平たい袋をタイル状並べにして分離する。
尚、図３は、３９床下分離板の変形で、下に物入れや点検などの合板部分だけは、３４床下下室の底面に着く７布膜にして３３床下上室と３４床下下室の分離境縦を塞ぎ分離して、周囲を空気が流通する方法と。
図４は、図３をさらに変形して、３４床下下室の中間を下げて空気は周囲を流通し、下げて分離境縦になった部分は７布膜にして塞ぎ、３４床下下室の底面と重なる部分は７布膜が無く、そのままにする方法である。
図５は、３９床下分離板を水平ではなく、斜めか曲げて設置する方法である。１２乾燥室の４１乾燥室窓を開くと、２３床下へは循環せずに９居間へ出て、そして１１隣室へ出て行く。４１乾燥室窓を開く時は、２３床下へ空気を回さない時である。
尚、図６は、１２乾燥室を省いた方法であり、１２乾燥室の４１乾燥室窓を開く事は、１２乾燥室を省く事でありその方法は、９居間から２３床下だけに空気を循環させるには、３２床気取入口か３６冷気パイプに、又はそれぞれのパイプかにポンプを着けて９居間に戻す方法もある。
図７は、５１排気装置を設置してある１０風呂場から、室内を循環して来て屋外へ出て行く空気を、もう一度３４床下下室へ導き、３４床下下室の麈や埃など重い沈澱した空気を捨てる経路である。普段は室内を循環した排気は、５２排気出口に回って来て、住宅室内で一番湿度が高い部屋を換気して、５１排気装置で屋外へ出て行く。３４床下下室の塵や埃など重い沈澱した空気を捨てる場合や、冬の昼間の２３床下の温度を上げる場合に、２３床下へ空気を送る場合で、５３排気送り口の５４送り口蓋を外し開いて、５３排気送り口と５２排気出口とを５５連結パイプで接続する。また引き出す方は、５６重気引口の５７重気引口蓋を外して４０沈澱室にある６５重気引管から塵や埃など重い沈澱した空気を引き出す。４０沈澱室と５３排気送り口の６６排気送管のパイプ先は２３床下の中で最も離して設置する方法と、４０沈澱室を中心して６６排気送管を途中から分けて両方から排気を送る。
４０沈澱室は、３３床下上室に入ってる水道パイプなどからの、もしのも場合で漏水で水の掃け口や溜まり場にもなるので、１４ベタ基礎外に５８予備パイプでパイプ流れを作り、５８予備パイプ出口に蓋をつけて塞いで準備しておく。
準備してあれば、このパイプは新たに配線や配管が必要の場合にも、壁や既存基礎に穴を空けなくても、蓋を開ければ可能である。
図８は、１３基礎コンクリートは２３床下の中にもあり、床下の空気循環で３３床下上室と３４床下下室に流れる穴が違う説明図。３３床下上室は１６基礎パッキンの無い部分の１９土台下空間がありこれでも良いが、６４上室通気口を設置しても良い。３４床下下室は、中仕切りの１３基礎コンクリートで独立していて、沈澱空気の流れが阻まれるので、１４ベタ基礎と１３基礎コンクリートの接する部分へ小さな５９下通気口を多くつけて、２３床下の沈澱空気の流れの通り道を作る。
図９は、２３床下を３３床下上室と３４床下下室に分けずに別の方法の説明図。
３７空気パイプ出口と３８冷気パイプ入口の間は６０筒状袋で繋がってる。６０筒状袋が設置される２３床下には、２２大引や根太などには鉄板などをつけてあり、６０筒状袋を６１磁石で２３床下に取り付ける。取り付けの場合、床下は低いので入りずらい部分は滑車を使って横へ広げたりする。６０筒状袋の中には、６２重し袋が入り中へ水袋又はポリマー入り水袋を入れる。また６３アルミ箔も入れて６０筒状袋の中へ１４ベタ基礎の冷熱を入り易くする。６０筒状袋は透湿性で熱が伝え易い物で、紙などでは使い捨てで、布なら洗濯して使う。
６０筒状袋では５９下通気口は必要ない。
５暖房機は、６０筒状袋の中へ入れるが、５暖房機の周辺部分は、触れない様にして熱に強い物にする。
【発明の効果】
【０００７】以上の説明から明きらかの様に、本発明によると、
乾いた空気を床下に送るので、木造住宅の最も劣化する床下が乾いて、住宅の耐用寿命を伸ばせる。
床下が乾くのでカビが発生しない、カビが無いとダニや埃も少なくなり床下の空気がきれいになり、循環する室内も乾燥しきれいになる。
床下に沈殿した塵や埃など汚れた空気など、（以前と比較にならない程、各種の材料が使われている為に、床下には危険成分が沈澱滞留し、また床下が腐朽するので防腐も、防蟻消毒もされ、これらをしても健康には安全で弊害が無い事になっていますが、長期に亙っての調査研究複合になっての汚染の相乗弊害）屋内にある危険要素を吸い出し屋外に排気する事が出来る。
この時に、冬は床下を温めてエネルギーの節約なる。
床下を上下に分離して利用するので、きれいな空気は室内に戻しやすく、床下の基礎コンクリートが、木材にはない蓄熱、冷熱作用があるので、住宅換気で冷暖房に使えてエネルギーの節約になる。
【図面の簡単な説明】
【図１】従来方法の換気する場合の概略断面図である。
【図２】乾燥させた空気を床下に循環させ、居間に流れる部分断面図である。
【図３】床下分離板の中心部を省いて布膜にする図。
【図４】さらに底面は布膜も省いた図。
【図５】床下分離板を斜めか曲線で行う図。
【図６】乾燥室を省いて床下へ乾燥空気を送る図。
【図７】床下から塵や重い沈澱した空気を捨てる手順経路である。
【図８】中にある基礎コンクリートが床下上下で流れる穴が違う説明図である。
【図９】床下を上下に分けず、袋状の中へ室内空気を流す方法の説明図である。
【符号の説明】
１  屋根  ２  屋根裏  ３  天井  ４  床  ５  暖房機  ７  布膜  ８  柱  ９  居間
１０  風呂場  １１  隣室  １２  乾燥室  １３  基礎コンクリート
１４  ベタ基礎  １５  土台  １６  基礎パッキン  １７  気密パッキン
１８  上室通気口  １９  土台下空間  ２０  エアコン  ２１  床下空間
２２  大引や根太  ２３  床下  ３１  外気入気口  ３２  床気取入口
３３  床下上室  ３４  床下下室  ３５  換気隣室パイプ  ３６  冷気パイプ出口
３７  空気パイプ出口  ３８  冷気パイプ入口  ３９  床下分離板  ４０  沈澱室
４１  乾燥室窓  ４２  換気パイプ  ５１  排気装置  ５２  排気出口
５３  排気送り口  ５４  送り口蓋  ５５  連結パイプ  ５６  重気引口
５７  重気引口蓋  ５８  予備パイプ  ５９  下通気口  ６０  筒状袋
６１  磁石  ６２  ポリマー袋  ６３  アルミ箔  ６４  上室通気口
６５  重気引管  ６６  排気送管
【図１】
2006214255.tif 000003
【図２】
2006214255.tif 000004
【図３】
2006214255.tif 000005
【図４】
2006214255.tif 000006
【図５】
2006214255.tif 000007
【図６】
2006214255.tif 000008
【図７】
2006214255.tif 000009
【図８】
2006214255.tif 000010
【図９】
2006214255.tif 000011